【手続補正書】
【提出日】平成27年4月6日(2015.4.6)
【手続補正１】
【補正対象書類名】特許請求の範囲
【補正対象項目名】全文
【補正方法】変更
【補正の内容】
【特許請求の範囲】
【請求項１】
光束を偏向して被走査面を主走査方向に光走査する偏向手段と、光束を前記偏向手段の偏向面に斜入射させる入射光学系と、前記偏向手段により偏向された光束を前記被走査面に導光する結像光学系と、を備える光走査装置であって、
前記結像光学系は、入射面及び出射面の少なくとも一方が光軸を含む副走査断面内において偏心した第１の結像光学素子を有し、
前記入射面及び出射面の各副走査断面内における面形状を定義する非球面式の原点は、夫々を前記光軸に垂直な平面に投影したとき、主走査方向に伸びた第１及び第２の直線の夫々の上に位置しており、
前記入射面及び出射面の少なくとも一方は、前記光軸に垂直な平面内における前記第１及び第２の直線のうち対応する直線が、前記偏向手段により偏向された光束のマージナル光線同士の間に存在するように偏心していることを特徴とする光走査装置。
【請求項２】
前記結像光学系は、複数の結像光学素子を有しており、前記第１の結像光学素子は、前記複数の結像光学素子の中で光学的に最も前記被走査面に近い位置に配置されていることを特徴とする請求項１に記載の光走査装置。
【請求項３】
前記入射面及び出射面の少なくとも一方は、前記光軸を含む副走査断面内において傾き偏心しており、前記傾き偏心の傾き角は、前記被走査面での光束の走査軌跡の曲がりが小さくなるように、主走査方向に変化していることを特徴とする請求項１又は２に記載の光走査装置。
【請求項４】
前記第１の結像光学素子の副走査断面内でのパワーは、前記入射面及び出射面の少なくとも一方における光束の走査軌跡の曲がりが小さくなるように、主走査方向に変化していることを特徴とする請求項１乃至３のいずれか１項に記載の光走査装置。
【請求項５】
前記第１の結像光学素子は、副走査断面内において、軸上でのパワーが正である場合は軸外に向かうに従い正のパワーが強くなり、軸上でのパワーが負である場合は軸外に向かうに従い負のパワーが弱くなることを特徴とする請求項１乃至４のいずれか１項に記載の光走査装置。
【請求項６】
前記光軸に垂直な平面内において、前記第１及び第２の直線の少なくとも一方は、前記偏向手段により偏向された光束の主光線に２点以上で交わることを特徴とする請求項１乃至５のいずれか１項に記載の光走査装置。
【請求項７】
前記入射面及び出射面の少なくとも一方は、副走査断面内において非円弧形状であることを特徴とする請求項１乃至６のいずれか１項に記載の光走査装置。
【請求項８】
前記第１の結像光学素子は、第１及び第２の光束の夫々を第１及び第２の被走査面に導光する第１及び第２のレンズ部を含むことを特徴とする請求項１乃至７のいずれか１項に記載の光走査装置。
【請求項９】
第１及び第２のレンズ部の光軸方向における厚さは、互いに異なることを特徴とする請求項８に記載の光走査装置。
【請求項１０】
請求項１乃至９のいずれか１項に記載の光走査装置と、該光走査装置により前記被走査面に形成される静電潜像をトナー像として現像する現像器と、現像された前記トナー像を被転写材に転写する転写器と、転写された前記トナー像を前記被転写材に定着させる定着器と、を備えることを特徴とする画像形成装置。
【請求項１１】
請求項１乃至９のいずれか１項に記載の光走査装置と、外部機器から出力された色信号を画像データに変換して前記光走査装置に入力するプリンタコントローラと、を備えることを特徴とする画像形成装置。
【手続補正２】
【補正対象書類名】明細書
【補正対象項目名】発明の名称
【補正方法】変更
【補正の内容】
【発明の名称】光走査装置及びそれを備える画像形成装置
【手続補正３】
【補正対象書類名】明細書
【補正対象項目名】０００１
【補正方法】変更
【補正の内容】
【０００１】
本発明は、光走査装置及びそれを備える画像形成装置に関し、特に、電子写真プロセスを有するレーザービームプリンタやデジタル複写機やマルチファンクションプリンタ等のカラー画像形成装置に適用可能なものである。
【手続補正４】
【補正対象書類名】明細書
【補正対象項目名】００１１
【補正方法】変更
【補正の内容】
【００１１】
本発明は、結像光学系の結像レンズ（特に、光学的に最も被走査面に近い結像レンズ）を型を用いて成形する場合に、レンズ面形状精度を高めることができる光走査装置及びそれを備える画像形成装置を提供することを目的とする。
【手続補正５】
【補正対象書類名】明細書
【補正対象項目名】００１２
【補正方法】変更
【補正の内容】
【００１２】
本発明に係る光走査装置の代表的な構成は、光束を偏向して被走査面を主走査方向に光走査する偏向手段と、光束を前記偏向手段の偏向面に斜入射させる入射光学系と、前記偏向手段により偏向された光束を前記被走査面に導光する結像光学系と、を備える光走査装置であって、前記結像光学系は、入射面及び出射面の少なくとも一方が光軸を含む副走査断面内において偏心した第１の結像光学素子を有し、前記入射面及び出射面の各副走査断面内における面形状を定義する非球面式の原点は、夫々を前記光軸に垂直な平面に投影したとき、主走査方向に伸びた第１及び第２の直線の夫々の上に位置しており、前記入射面及び出射面の少なくとも一方は、前記光軸に垂直な平面内における前記第１及び第２の直線のうち対応する直線が、前記偏向手段により偏向された光束のマージナル光線同士の間に存在するように偏心していることを特徴とする。
【手続補正６】
【補正対象書類名】明細書
【補正対象項目名】００１４
【補正方法】削除
【補正の内容】
【手続補正７】
【補正対象書類名】明細書
【補正対象項目名】００３４
【補正方法】変更
【補正の内容】
【００３４】
図２（Ａ）は、結像レンズ７Ａの入射面における走査光束の軌跡と、入射レンズ面の母線形状を決定（定義）する非球面式の副走査方向の原点位置ＣＬを通り主走査方向に延長した原点位置線（光軸に垂直な平面に投影したときの主走査方向に伸びた第１の直線）との関係を示した図である。走査軌跡には光束の主光線と副走査方向両端のマージナル光線の３本が描かれている。
【手続補正８】
【補正対象書類名】明細書
【補正対象項目名】００３５
【補正方法】変更
【補正の内容】
【００３５】
同様に図２（Ｂ）には結像レンズ７Ａの出射面における走査光束の軌跡と、出射レンズ面の母線形状を決定（定義）する非球面式の副走査方向の原点位置ＣＬを通り主走査方向に延長した原点位置線（光軸に垂直な平面に投影したときの主走査方向に伸びた第２の直線）との関係を示した。このように、本実施形態では、入射レンズ面及び出射レンズ面ともに副走査方向両端のマージナル光線で挟まれた領域内に原点位置線（第１及び第２の直線）が存在するように設定し、更には主光線を跨ぐ（第１及び第２の直線が偏向手段により偏向された光束の主光線に２点以上で交わる）ように原点位置ＣＬを設定している。
【手続補正９】
【補正対象書類名】明細書
【補正対象項目名】００５１
【補正方法】変更
【補正の内容】
【００５１】
図５は結像レンズ７Ａの入射面と出射面における子線チルト量を横軸を結像レンズの主走査方向の位置にしてプロットしたグラフである。このように、光軸上からチルト量を与え、更にチルト量を主走査方向に変化させる事で、波面収差の捩じれによるスポットの崩れや、被走査面（ドラム面）における走査軌跡の湾曲量（曲がり）を小さく抑えている。
【手続補正１０】
【補正対象書類名】明細書
【補正対象項目名】００６７
【補正方法】変更
【補正の内容】
【００６７】
図１０は、本実施形態における結像レンズ６Ａの副走査方向のパワー変化を、横軸を結像レンズの主走査方向の位置にしてプロットしたグラフである。このように、軸上（Ｙ＝０）での副走査パワーが負の場合、レンズ端部に行くに従い負のパワーを弱めることで、結像レンズ７Ａ上での走査軌跡の湾曲量（曲がり）を小さくすることができる。